(57)【要約】【課題】監視対象のユーザが宅内にいるか否かを宅外の監視者に容易に通知することを課題とする。【解決手段】スマートスイッチは、建物内に設置される電気機器に対する操作を受け付け、第一の無線通信リンクを用いて端末装置を監視し、監視される端末装置の連絡先に関する連絡先情報を記憶する。スマートスイッチは、端末装置と接続された第一の無線通信リンクが切断された場合に、予め設定した監視時間に操作を受け付けたか否かに基づく操作監視情報を、連絡先情報を基にして、第二の無線通信リンクを用いて端末装置に通知する。【選択図】図１
2018125677.tif 000002
【特許請求の範囲】
【請求項１】
電気機器と、
前記電気機器を操作するコントローラ装置とを有し、
前記コントローラ装置は、
前記電気機器に対する操作を受け付ける受付部と、
第一の無線通信リンクを用いて端末装置を監視する監視部と、
前記監視部に監視される端末装置の連絡先に関する連絡先情報を記憶する記憶部と、
前記端末装置と接続された第一の無線通信リンクが切断された場合に、予め設定した監視時間に前記受付部が前記操作を受け付けたか否かに基づく操作監視情報を、前記記憶部に記憶された前記連絡先情報を基にして、第二の無線通信リンクを用いて前記端末装置に通知する通知部とを有し、
床部と、前記床部から立ち上がると共に室内空間を囲む壁部であって、該壁部は前記コントローラ装置を有することを特徴とする建物。
【請求項２】
建物内に設置される電気機器を操作するコントローラ装置であって、
前記建物内に設置される電気機器に対する操作を受け付ける受付部と、
第一の無線通信リンクを用いて端末装置を監視する監視部と、
前記監視部に監視される端末装置の連絡先に関する連絡先情報を記憶する記憶部と、
前記端末装置と接続された第一の無線通信リンクが切断された場合に、予め設定した監視時間に前記受付部が前記操作を受け付けたか否かに基づく操作監視情報を、前記記憶部に記憶された前記連絡先情報を基にして、第二の無線通信リンクを用いて前記端末装置に通知する通知部と
を有することを特徴とするコントローラ装置。
【請求項３】
前記電気機器は、前記建物内に設置される照明器具であり、
前記監視部は、前記建物内に滞在していない子供の親が所持する前記端末装置を監視し、
前記通知部は、前記監視時間に前記受付部が前記照明器具を点灯させる操作を受け付けた場合は、前記子供が帰宅したことを示す帰宅通知を前記端末装置に通知することを特徴とする請求項２に記載のコントローラ装置。
【請求項４】
前記電気機器は、前記建物内に設置される照明器具であり、
前記監視部は、前記建物内に滞在していない子供の親が所持する前記端末装置を監視し、
前記通知部は、前記監視時間に前記受付部が前記照明器具を点灯させる操作を受け付けない場合は、前記子供が帰宅していないことを示す未帰宅通知を前記端末装置に通知することを特徴とする請求項２または３に記載のコントローラ装置。
【請求項５】
前記電気機器が設定される場所の明るさを検出する検出部をさらに有し、
前記通知部は、前記検出部によって検出された前記明るさが閾値未満のときに、前記監視時間に前記受付部が前記操作を受け付けない場合は、前記未帰宅通知を前記端末装置に通知することを特徴とする請求項４に記載のコントローラ装置。
【請求項６】
前記建物内に設置される前記電気機器の操作履歴から前記電気機器が操作された時間帯を特定し、特定した前記時間帯を前記監視時間として設定する設定部をさらに有することを特徴とする請求項２から５のいずれか一つに記載のコントローラ装置。
【請求項７】
表示部の第一の領域に、前記電気機器に対する操作を受け付ける操作画面を表示するとともに、前記表示部の第二の領域に、前記端末装置と接続された前記第一の無線通信リンクが切断されたときに前記第二の無線通信による端末装置への通話操作を受け付ける通話画面を表示する表示制御部を有することを特徴とする請求項２から６のいずれか一つに記載のコントローラ装置。
【請求項８】
建物内に設置される電気機器を操作するコントローラ装置が、
前記建物内に設置される電気機器に対する操作を受け付け、
第一の無線通信リンクを用いて端末装置を監視し、
監視される前記端末装置の連絡先に関する連絡先情報を基にして、前記端末装置と接続された第一の無線通信リンクが切断された場合に、予め設定した監視時間に前記操作を受け付けたか否かに基づく操作監視情報を、第二の無線通信リンクを用いて前記端末装置に通知する
処理を実行することを特徴とする通知制御方法。
【請求項９】
建物内に設置される電気機器を操作するコントローラ装置に、
前記建物内に設置される電気機器に対する操作を受け付け、
第一の無線通信リンクを用いて端末装置を監視し、
監視される前記端末装置の連絡先に関する連絡先情報を基にして、前記端末装置と接続された第一の無線通信リンクが切断された場合に、予め設定した監視時間に前記操作を受け付けたか否かに基づく操作監視情報を、第二の無線通信リンクを用いて前記端末装置に通知する
処理を実行させることを特徴とする通知制御プログラム。
【発明の詳細な説明】
【技術分野】
【０００１】
本発明は、建物、コントローラ装置、通知制御方法および通知制御プログラムに関する。
【背景技術】
【０００２】
従来から、核家族化や共働きの夫婦の増加に伴い、子供が一人で留守番を行う機会が増えている。宅内には、ガスを使うコンロや暖房機器などのように、子供では操作が難しい電気機器があり、エアコンなどのように、使用し続けると料金が高くなる電気機器などもある。このように、子供が留守番をする場合には、少なからず注意すべきことが存在する。近年では、宅内の電気機器を管理する技術として、家庭内ＬＡＮ（Local  Area  Network）に接続される情報家電や宅内に設置される電気機器を操作する制御装置などが知られている。
【先行技術文献】
【特許文献】
【０００３】
【特許文献１】特開２０１２−１１４６６６号公報
【発明の概要】
【発明が解決しようとする課題】
【０００４】
しかしながら、上記技術では、子供が家に帰ってきたか否かを親が確認できない状況が発生する。例えば、子供が携帯電話などを所持している場合もあるが、携帯電話の電池がないときや携帯電話を紛失したときには、子供から親への連絡も、親から子供への連絡もできない。また、携帯電話を操作できない幼児などは、親と連絡をとる手段がない。
【０００５】
さらに、子供が親に電話したときも、仕事中の親がすぐに電話に出ることができないことも頻繁に起こる。この場合、親は、着信履歴だけでは、帰宅したか否かを報告する電話なのか、トラブルが発生したなど緊急を要する電話なのかを判断できない。
【０００６】
一つの側面では、監視対象のユーザが宅内にいるか否かを宅外の監視者に容易に通知することができる建物、コントローラ装置、通知制御方法および通知制御プログラムを提供することを目的とする。
【課題を解決するための手段】
【０００７】
第１の案では、建物は、電気機器と、前記電気機器を操作するコントローラ装置とを有する。前記コントローラ装置は、前記建物内に設置される電気機器に対する操作を受け付ける受付部と、第一の無線通信リンクを用いて端末装置を監視する監視部と、前記監視部に監視される端末装置の連絡先に関する連絡先情報を記憶する記憶部とを有する。前記コントローラ装置は、前記端末装置と接続された第一の無線通信リンクが切断された場合に、予め設定した監視時間に前記受付部が前記操作を受け付けたか否かに基づく操作監視情報を、前記記憶部に記憶された前記連絡先情報を基にして、第二の無線通信リンクを用いて前記端末装置に通知する通知部を有する。建物は、床部と、前記床部から立ち上がると共に室内空間を囲む壁部であって、該壁部は前記コントローラ装置を有する。
【発明の効果】
【０００８】
一実施形態によれば、監視対象のユーザが宅内にいるか否かを宅外の監視者に容易に通知することができる。
【図面の簡単な説明】
【０００９】
【図１】図１は、実施例１にかかるスマートスイッチを説明する図である。
【図２】図２は、スマートスイッチの設置箇所の例を説明する図である。
【図３】図３は、実施例１にかかるスマートスイッチのハードウェア構成例を説明する図である。
【図４】図４は、実施例１にかかるスマートスイッチの機能構成を示す機能ブロック図である。
【図５】図５は、操作ログＤＢに記憶される情報の例を示す図である。
【図６】図６は、監視時間ＤＢに記憶される情報の例を示す図である。
【図７】図７は、監視対象ＤＢに記憶される情報の例を示す図である。
【図８】図８は、スマートスイッチの画面の遷移例を説明する図である。
【図９】図９は、監視処理の流れを説明するフローチャートである。
【図１０】図１０は、連絡先ＤＢに記憶される情報の例を示す図である。
【図１１】図１１は、スマートスイッチの画面の遷移例を説明する図である。
【発明を実施するための形態】
【００１０】
以下に、本願の開示する建物、コントローラ装置、通知制御方法および通知制御プログラムの実施例を図面に基づいて詳細に説明する。なお、この実施例によりこの発明が限定されるものではない。また、各実施例は、矛盾のない範囲内で適宜組み合わせることができる。
【実施例１】
【００１１】
［全体構成］
図１は、実施例１にかかるスマートスイッチ１０を説明する図である。実施例１にかかるスマートスイッチ１０は、マンションや戸建てなどの自宅１に設置されるコントローラ装置の一例である。
【００１２】
このスマートスイッチ１０は、スマートフォンなどの通信装置と同様の機能を有する。例えば、スマートスイッチ１０は、タッチパネル、カメラ、スピーカ、温度や湿度などの各種センサ、ＳＩＭ（Subscriber  Identity  Module）カードを有する。
【００１３】
さらに、スマートスイッチ１０は、家庭内ＬＡＮによって自宅１内の情報家電と接続される。例えば、スマートスイッチ１０は、部屋の照明１ａを制御する制御機能を有する。ここで、スマートスイッチ１０は、自宅内で家族が移動する動線上、特に子供が家に帰ってからリビング等に行くまでの動線上に設置される。図２は、スマートスイッチ１０の設置個所の例を説明する図である。
【００１４】
図２には、家族が生活する一般的な部屋の間取り図が示される。図２に示す矢印の箇所にスマートスイッチ１０が設置される。例えば、スマートスイッチ１０は、子供が自宅に入ったときにはじめに電気をつける照明スイッチの箇所、留守中の子供の滞在時間が長いと予想されるリビングの照明スイッチの箇所などに置き換えられるとともに、一般的な小学生が操作できる高さ（位置）に設置される。つまり、スマートスイッチ１０は、玄関、リビング、洗面所、自分の部屋などを移動する子供３の動線上に設置される。
【００１５】
なお、動線上の全照明スイッチと置き換えて、スマートスイッチ１０を設置してもよく、任意に選択した複数の照明スイッチと置き換えてもよく、子供が帰宅後にはじめに操作する照明スイッチを特定した上で置き換えてもよい。
【００１６】
自宅１は、床部と、床部と対向する天井部と、床部から立ち上がると共に室内空間を囲む壁部とを備える建物である。つまり、床部、天井部、壁部によって、自宅１の内部空間が区画され、室内空間が形成される。床部は、フローリング材等の内装床材で仕上げられる。天井部は、照明１ａが配置される。壁部は、出入り口、窓などが設けられると共に、スマートスイッチ１０が配置される。ここで、壁部の内部には、電気配線用の配線孔が設けられている。そして、スマートスイッチ１０と照明１ａとは、配線孔を通るケーブルにより接続され、スマートスイッチ１０がオンの状態では、系統電源から照明１ａへ電力供給が行われ、照明１ａの点灯状態は「点灯」になる。また、スマートスイッチ１０がオフの状態では、系統電源から照明１ａへ電力供給が行われず、照明１ａの点灯状態は「消灯」になる。また、各照明スイッチをスマートスイッチ１０に置き換えるとともに、各スマートスイッチ１０を統合的に管理するスマートスイッチを設置してもよい。その場合、統合管理するスマートスイッチ１０が後述する機能を有し、各照明スイッチに対して同様の処理を実行する。
【００１７】
図１に戻り、スマートスイッチ１０は、近距離通信を用いて、監視対象である親２の無線通信端末５０を監視する。そして、スマートスイッチ１０は、監視対象である親２の無線通信端末５０が自宅１に存在する場合は、照明１ａをオン／オフさせるための照明操作画面をタッチパネル上に表示させて、通常の照明スイッチとして機能する。
【００１８】
そして、スマートスイッチ１０は、親２の無線通信端末５０を所持して外出したことにより、無線通信端末５０の通信が途切れると、照明１ａが消灯されて留守番モードとなる。その後、スマートスイッチ１０は、子供３が帰宅して照明１ａをつけるために、スマートスイッチ１０を押下すると、ネットワークＮを介して親２の無線通信端末５０に子供３が帰宅したことを示すメールを送信する。なお、ネットワークＮは、有線や無線を問わず、携帯電話のキャリアが提供するキャリア網やインターネットなどを採用することができる。
【００１９】
このように、スマートスイッチ１０は、親２がいない状態であっても、電気をつけるという普段の操作によって子供３の帰宅を検出して、親２に通知することができる。したがって、スマートスイッチ１０は、監視対象のユーザである子供３が宅内にいるか否かを宅外の監視者である親２に容易に通知することができる。
【００２０】
［ハードウェア構成］
図３は、実施例１にかかるスマートスイッチ１０のハードウェア構成例を説明する図である。図３に示すように、スマートスイッチ１０は、無線部１１、近距離通信部１２、表示部１３、マイク１４、スピーカ１５、ＨＤＤ（Hard  Disk  Drive）１６、メモリ１７、プロセッサ２０を有する。なお、ここで示したハードウェアは一例であり、例えばカメラや照度センサなどの他のハードウェアを有することもできる。
【００２１】
無線部１１は、アンテナ１１ａを用いて無線通信を実行する無線モジュールであり、例えば無線ＬＡＮ（Local  Area  Network）やキャリア網などを用いて他の装置との間で、音声通話などを実行する。近距離通信部１２は、Ｂｌｕｅｔｏｏｔｈ（登録商標）（以下ではＢＬＥなどと記載する場合がある）等の近距離無線モジュールであり、自宅１内の無線通信端末との間で情報の通信を司る通信インタフェースである。
【００２２】
表示部１３は、タッチパネルを有するとともに、各種情報を表示する表示装置の一例である。この表示部１３は、１画面表示および２画面表示の切替を可能とし、画面ごとのタッチパネル制御も可能とする。マイク１４は、音を集音してプロセッサ２０に出力する集音器の一例である。スピーカ１５は、プロセッサ２０から入力された音声を出力する出力器の一例である。
【００２３】
ＨＤＤ１６は、データやプログラムなどを記憶する記憶装置の一例であり、例えばプロセッサ２０が実行する各種プログラムを記憶する。
【００２４】
メモリ１７は、プログラムの展開先となる記憶装置の一例である。メモリ１７の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００２５】
プロセッサ２０は、スマートスイッチ１０全体を司る処理部であり、例えばＣＰＵ（Central  Processing  Unit）などである。プロセッサ２０は、ハードディスク等に記憶されるプログラムを読み出してメモリ１７に展開して実行することで、後述する各機能部を実行する。なお、プロセッサ２０の一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。
【００２６】
［機能構成］
図４は、実施例１にかかるスマートスイッチ１０の機能構成を示す機能ブロック図である。図４に示すように、スマートスイッチ１０は、操作ログＤＢ２１、監視時間ＤＢ２２、監視対象ＤＢ２３、スイッチ制御部２４、監視設定部２５、監視部２６、明るさ検出部２７、操作判定部２８、通知部２９を有する。
【００２７】
なお、操作ログＤＢ２１、監視時間ＤＢ２２、監視対象ＤＢ２３は、ＨＤＤ１６などに記憶されるデータベースである。スイッチ制御部２４、監視設定部２５、監視部２６、明るさ検出部２７、操作判定部２８、通知部２９は、プロセッサ２０が有する電子回路の一例やプロセッサ２０が実行するプロセスの一例である。
【００２８】
操作ログＤＢ２１は、自宅１内の各部屋の照明スイッチの制御ログを記憶するデータベースである。具体的には、操作ログＤＢ２１は、各部屋に設置されたスマートスイッチ１０の操作情報を収集して記憶する。ここで記憶される情報は、各スマートスイッチ１０が定期的にデータの送受信をして収集することもでき、親２等が手動で登録することもできる。
【００２９】
図５は、操作ログＤＢ２１に記憶される情報の例を示す図である。図５に示すように、操作ログＤＢ２１は、玄関、リビング、子供部屋、洗面所ごとに「操作内容、日時」を対応付けて記憶する。ここで記憶される「操作内容」は、照明器具のオンまたはオフの操作を示し、「日時」は、操作を受け付けた日付、曜日、時間である。図５の例では、2013年12月1日（月）の15：02に玄関の照明スイッチが操作されて照明１ａが点灯したことを示し、2013年12月2日（火）の15：25に玄関の照明スイッチが操作されて照明１ａが点灯したことを示す。
【００３０】
監視時間ＤＢ２２は、留守番状態で照明スイッチの操作有無を監視する時間帯を含む監視設定情報を記憶するデータベースである。図６は、監視時間ＤＢ２２に記憶される情報の例を示す図である。図６に示すように、監視時間ＤＢ２２は、「曜日、監視時間、明るさ閾値」を対応付けて記憶する。ここで記憶される「曜日」は、監視対象となる曜日を示す。「監視時間」は、監視対象の時間を示す。「明るさ閾値」は、監視対象となる明るさの閾値を示す。
【００３１】
図６の例では、「月曜日」は、「15：00から15：30」の間で、明るさが「750ルクス」のときだけが監視対象であることを示し、「火曜日」は、「16：00から16：20」の間で、明るさが「750ルクス」のときだけが監視対象であることを示す。なお、「手動モード」とは、自動的に監視対象になることはなく、親２によって手動で監視開始が指示されたときだけ監視を実行することを示す。なお、図６の例では、全曜日について同じ明るさの閾値を設定しているが、これに限定されるものではなく、曜日ごとに別々の明るさを設定してもよい。
【００３２】
監視対象ＤＢ２３は、自宅１内で存在有無を監視する監視対象の無線通信端末に関する情報を記憶する。図７は、監視対象ＤＢ２３に記憶される情報の例を示す図である。図７に示すように、監視対象ＤＢ２３は、「ユーザ名、ＩＤ、電話番号、アドレス、通知有無」を対応付けて記憶する。
【００３３】
ここで記憶される「ユーザ名」は、監視対象のユーザ名を示す情報である。「ＩＤ」は、後述する監視部２６に使用される、近距離通信で使用される識別子などである。「電話番号」は、発信先の電話番号であり、「アドレス」は、メールアドレスなどである。「通知有無」は、子供３の帰宅有無の通知を行うか否かを示す情報である。
【００３４】
図７の例では、監視対象として、ＩＤが「ＭＭＭＭ」の「ママ」とＩＤが「ＦＦＦＦ」の「パパ」とが設定されていることを示す。また、ママの端末の電話番号が「ＴＥＬ（Ａ）」でアドレスが「Ａｄｄｒ（Ａ）」であり、通知対象である。パパの端末の電話番号が「ＴＥＬ（Ｂ）」でアドレスが「Ａｄｄｒ（Ｂ）」であり、通知対象である。なお、ＩＤは、使用する近距離通信の種別等によって、任意に設定変更することができる。また、ここで記憶される情報は、親２などのユーザによって任意に変更することができる。
【００３５】
スイッチ制御部２４は、対応する照明のオンやオフを実行する処理部である。具体的には、スイッチ制御部２４は、スマートスイッチ１０の表示部１３へのタッチ操作を検出して照明１ａのオンやオフを実行し、照明スイッチとしての機能を提供する。
【００３６】
監視設定部２５は、監視時間を設定する処理部である。具体的には、監視設定部２５は、操作ログＤＢ２１に記憶される情報を基にして、子供３が照明１ａを点灯させた時間帯を推定し、推定した時間を監視時間に設定する。つまり、監視設定部２５は、曜日ごとに、子供が帰宅する時間帯を推定する。
【００３７】
例えば、監視設定部２５は、操作ログＤＢ２１に記憶される各部屋のログから、月曜日のログかつ操作内容が「オン」であるログを抽出する。続いて、監視設定部２５は、各ログのうち、オンされた最も早い時間と最も遅い時間時間とを抽出する。そして、監視設定部２５は、「最も早い時間から最も遅い時間」とする時間帯に、照明設計等で規定される明るさの最低値（例えば750）を対応付けて、監視設定情報として監視時間ＤＢ２２に格納する。なお、監視設定部２５は、この処理を各曜日について実行することで、各曜日の監視設定情報を設定する。
【００３８】
監視部２６は、近距離通信を用いて、自宅１内で無線通信装置の存在を監視する処理部である。具体的には、監視部２６は、一定の間隔で、監視対象ＤＢ２３に記憶される各ＩＤに対してＢＬＥを用いた信号を送信し、応答があるか否かを監視する。つまり、監視部２６は、自宅１内で子供３が留守番している留守番状態か否かを監視する。
【００３９】
例えば、監視部２６は、監視対象ＤＢ２３に記憶されるＩＤ「ＭＭＭＭ」とＩＤ「ＦＦＦＦ」とのそれぞれに信号を送信し、いずれのＩＤからも応答が届かない時間が所定時間（例えば、５分など）継続した場合に、留守番状態と判定して、操作判定部２８に通知する。なお、監視部２６は、強制的に留守番モードに変更するなどの予め指定した操作を受け付けた場合にも、留守番状態と判定することもできる。
【００４０】
また、監視部２６は、留守番状態後も、監視対象ＤＢ２３に記憶されるＩＤ「ＭＭＭＭ」とＩＤ「ＦＦＦＦ」とのそれぞれに信号を定期的に送信し、いずれかのＩＤから応答を受信した場合に、通常状態と判定して、操作判定部２８に通知する。なお、監視部２６は、強制的に通常モードに変更するなどの予め指定した操作を受け付けた場合にも、通常状態と判定することもできる。
【００４１】
明るさ検出部２７は、スマートスイッチ１０が設置される部屋の明るさを検出する処理部である。例えば、明るさ検出部２７は、照度センサを用いて、明るさを常時測定し、測定結果を操作判定部２８に出力する。
【００４２】
操作判定部２８は、留守番状態の時に、監視時間内に照明スイッチを操作する処理が行われたか否かを判定する処理部である。具体的には、操作判定部２８は、監視部２６から留守番状態が通知されると、監視時間ＤＢ２２から該当する監視設定情報を読み出す。続いて、操作判定部２８は、読み出した監視設定情報に設定される監視時間帯に、照明１ａを点灯させる操作を監視する。すなわち、操作判定部２８は、留守番状態かつ監視時間帯である場合は、操作監視モードに遷移してスマートスイッチ１０へのタッチ操作の検出を実行し、留守番状態ではないまたは監視時間帯ではない場合は、通常モードのままでタッチ操作の検出を抑制する。
【００４３】
そして、操作判定部２８は、監視時間帯に照明１ａを点灯させるタッチ操作を受け付けた場合、子供３の帰宅が確認されたことを示す帰宅通知を通知部２９に出力する。一方、操作判定部２８は、監視時間帯に照明１ａを点灯させるタッチ操作を受け付けない場合、子供３の帰宅が確認できないことを示す未帰宅通知を通知部２９に出力する。
【００４４】
例えば、操作判定部２８は、監視部２６から留守番状態が通知されると、スマートスイッチ１０内の時計やシステム時計などから、月曜日であることを特定する。すると、操作判定部２８は、監視時間ＤＢ２２から監視時間「15：00−15：30」を抽出する。そして、操作判定部２８は、この監視時間「15：00−15：30」内で、スマートスイッチ１０へのタッチ操作を検出した場合、子供３が帰宅したと判定する。一方、操作判定部２８は、この監視時間「15：00−15：30」内で、スマートスイッチ１０へのタッチ操作を検出しない場合、子供３が未帰宅であると判定する。
【００４５】
なお、操作判定部２８は、明るさ検出部２７によって検出された明るさが監視時間ＤＢ２２に設定される明るさ閾値以下である場合に、タッチ操作の監視を実行することもできる。つまり、操作判定部２８は、部屋が暗くて照明１ａをつけることが予想される状況のときだけ、照明１ａを点灯させるタッチ操作の監視を行う。また、操作判定部２８は、タッチ操作を検出しない場合でも、明るさ閾値の上限値（例えば1500ルクス）以上の場合は、監視対象外とすることもできる。
【００４６】
ここでは、一例として、帰宅か未帰宅かの両方を判定する例を説明したが、これに限定されるものではない。例えば、操作判定部２８は、操作があった場合だけを検出して帰宅通知だけを通知部２９に出力する構成でもよく、操作がない場合だけを検出して未帰宅通知だけを通知部２９に出力する構成でもよい。また、操作判定部２８は、明るさが「750ルクス」未満の場合は、操作判定部２８による操作有無の判定処理そのものを抑制することもできる。
【００４７】
また、操作判定部２８は、監視部２６から留守番状態が通知されると、通常時に表示部１３に表示される「照明スイッチのマーク」に加えて、「ただいま」などのメッセージを表示部１３に表示することもできる。さらに、操作判定部２８は、タッチ操作を検出することなく、監視時間の終了が近づくと、「ただいま」のメッセージを点滅させることもできる。例えば、操作判定部２８は、監視時間の終了時間の１０分前から「ただいま」のメッセージを点滅させる。このようにすることで、子供３が照明１ａをつけ忘れていた場合でも、タッチ操作を行うように誘導することができる。
【００４８】
通知部２９は、子供３の帰宅状況を監視者に通知する処理部である。具体的には、通知部２９は、監視対象ＤＢ２３において「通知有無」に「要」が設定されるユーザのアドレスに対して、帰宅したことを示すメッセージまたは帰宅していないことを示すメッセージを含むメールを送信する。
【００４９】
例えば、通知部２９は、操作判定部２８から帰宅通知を受信すると、ママのアドレス（Ａｄｄｒ（Ａ））とパパのアドレス（Ａｄｄｒ（Ｂ））のそれぞれに、「○○くんが帰宅しました」などのメッセージを送信する。また、通知部２９は、操作判定部２８から未帰宅通知を受信すると、ママのアドレス（Ａｄｄｒ（Ａ））とパパのアドレス（Ａｄｄｒ（Ｂ））のそれぞれに、「○○くんが帰宅していません」などのメッセージを送信する。
【００５０】
［画面遷移］
次に、スマートスイッチ１０の画面遷移の例を説明する。ここで説明する画面の表示内容などは、一例であり、任意に変更することができる。なお、ここでは明るさを考慮しない例で説明する。図８は、スマートスイッチ１０の画面の遷移例を説明する図である。
【００５１】
図８の（ａ）に示すように、スマートスイッチ１０は、監視対象の無線通信装置が自宅１内に存在するときは、照明操作画面を表示する。そして。図８の（ｂ）に示すように、スマートスイッチ１０は、監視対象の無線通信装置からの応答を検出しなくなると、留守番状態と判定し、照明操作画面に「ただいま」などのメッセージをあわせて表示する。
【００５２】
その後、スマートスイッチ１０は、監視時間内に、帰宅した子供３によるタッチパネル操作（タッチ操作）を検出すると、帰宅したと判定する（図８の（ｃ））。そして、スマートスイッチ１０は、帰宅通知を親２に通知する（図８の（ｄ））。
【００５３】
一方、スマートスイッチ１０は、タッチパネル操作を検出せずに、監視時間の終了時間近くになると、「ただいま」のメッセージを点滅させる（図８の（ｅ））。ここで、スマートスイッチ１０は、帰宅した子供３または帰宅していたがタッチパネル操作を忘れていた子供３によるタッチパネル操作を検出すると、帰宅したと判定して帰宅通知を親２に通知する。一方、スマートスイッチ１０は、監視時間内にタッチパネル操作を検出しない場合、子供３が未帰宅を判定して、未帰宅通知を親２に通知する（図８の（ｆ））。
【００５４】
［処理の流れ］
次に、スマートスイッチ１０が実行する端末監視からメール通知までの一連の処理について説明する。図９は、監視処理の流れを説明するフローチャートである。なお、ここでは、監視設定部２５による監視設定が終了しているものとする。また、監視設定部２５による監視設定は定期的に実行されるものとする。
【００５５】
図９に示すように、監視部２６は、信号の送信契機に到達すると（Ｓ１０１：Ｙｅｓ）、監視対象ＤＢ２３に記憶される各ＩＤに対して、ＢＬＥの信号を送信する（Ｓ１０２）。ここで、監視部２６は、送信先の端末のうちいずれかの端末から応答を受信した場合（Ｓ１０３：Ｎｏ）、Ｓ１０１以降を繰り返す。
【００５６】
一方、送信先のいずれの端末からも応答を受信しない場合（Ｓ１０３：Ｙｅｓ）、操作判定部２８は、監視時間ＤＢ２２を参照して現時刻が監視時間帯に該当するか否かを判定する（Ｓ１０４）。ここで、現時刻が監視時間帯に該当しない場合（Ｓ１０４：Ｎｏ）、Ｓ１０１以降を繰り返す。
【００５７】
一方、現時刻が監視時間帯に該当する場合（Ｓ１０４：Ｙｅｓ）、操作判定部２８は、操作監視モードを設定する（Ｓ１０５）。その後、監視時間内に操作判定部２８によってタッチパネル操作が検出されると（Ｓ１０６：Ｙｅｓ）、通知部２９は、子供３の帰宅を知らせる帰宅メール（帰宅通知）を監視者に一斉に送信する（Ｓ１０７）。その後、操作判定部２８による操作監視モードが解除される（Ｓ１０８）。
【００５８】
そして、タッチパネル操作が検出されない場合でも（Ｓ１０６：Ｎｏ）、監視時間内であれば（Ｓ１０９：Ｙｅｓ）、操作判定部２８によるタッチパネル操作の検出の監視が引き続き行われる。しかし、タッチパネル操作が検出されないまま（Ｓ１０６：Ｎｏ）、監視時間が経過すると（Ｓ１０９：Ｎｏ）、通知部２９は、子供３の未帰宅を知らせる未帰宅メール（未帰宅通知）を監視者に一斉に送信する（Ｓ１１０）。その後、操作判定部２８による操作監視モードが解除される（Ｓ１０８）。
【００５９】
なお、ここでは、監視時間内であれば監視モードとしてタッチパネル操作を検出する例を説明したが、これに限定されるものではない。例えば、操作判定部２８は、留守番状態が通知されると、監視モードに遷移し、タッチパネル操作の検出時間が監視時間帯であれば、帰宅と判定することもできる。
【００６０】
［効果］
上述したように、スマートスイッチ１０を既存の照明スイッチに置き換えることができるので、新たな電気機器を増やさずに、親が外出中でも子供３の帰宅状況を親に通知することができる。この結果、導入コストの削減も実現できる。また、スマートスイッチ１０が宅内に設置されることから、スマートスイッチ１０は無線ＬＡＮを用いてメール送信を行うことができるので、パケット料金がかからず、費用も抑えることができる。
【００６１】
また、携帯電話を持っていない子供３や携帯電話を操作できないであっても、簡単な操作で親に帰宅状況を通話ができる。また、実際の帰宅時間の履歴から監視時間を設定することができるので、監視時間を絞りこむことができ、適切な帰宅監視と監視にかかるコスト削減とを両立することができる。スマートスイッチ１０に表示されるメッセージやアイコン等を点滅させることで、子供３の操作忘れを抑制することができる。
【実施例２】
【００６２】
ところで、実施例１では、子供３の帰宅状況を通知した後は、通常の照明スイッチとして機能する例を説明したが、これに限定されるものではない。例えば、スマートスイッチ１０は、子供３が帰宅した後に、外出中の親と留守番中の子供３とが簡単に通話できるインタフェースとして機能することができる。
【００６３】
そこで、実施例２では、外出中の親２と留守番中の子供３とが簡単に通話できるスマートスイッチ１０の機能を説明する。実施例２にかかるスマートスイッチ１０は、各無線通信端末の発信先に関する情報を記憶する連絡先ＤＢを記憶する。図１０は、連絡先ＤＢに記憶される情報の例を示す図である。図１０に示すように、連絡先ＤＢは、「優先順位、グループ名、ユーザ名、電話番号、アドレス」を対応付けて記憶する。ここで記憶される「優先順位」は、発信の優先順位を示し、「グループ名」は、ユーザグループを示す。「ユーザ名」は、発信先のユーザの名称であり、「電話番号」は、発信先の電話番号であり、「アドレス」は、メールアドレスなどである。なお、連絡先ＤＢは、これら以外にも、表示に使用される画像などを対応付けて記憶する。
【００６４】
図１０の場合、優先順位１は、電話番号「ＴＥＬ（Ａ）」とメールアドレス「Ａｄｄｒ（Ａ）」が設定される、家族のママであり、優先順位４は、電話番号「ＴＥＬ（Ｄ）」とメールアドレス「Ａｄｄｒ（Ｄ）」が設定される、ママ友である花子ちゃんママであることを示す。また、優先順位の最後には、サービサーの電話番号およびアドレスが設定される。なお、サービサーとは、予め契約した第三者機関であり、必ず電話に応答することが約束されている。
【００６５】
次に、子供の帰宅状況を通知した後のスマートスイッチ１０の処理について説明する。図１１は、スマートスイッチ１０の画面の遷移例を説明する図である。スマートスイッチ１０は、図１１の（ａ）に示すように、監視対象の無線通信装置が自宅１内に存在するときは、照明操作画面のみを表示する。なお、照明操作画面は、照明１ａのオン／オフを切り替える操作を行う画面の一例である。
【００６６】
そして、スマートスイッチ１０は、監視対象の無線通信装置が検出できなくなった場合に、表示部１３の表示領域を２つに分割し、第１の領域に照明操作画面を表示し、第２の領域に優先順位１のママの画像を表示する（図１１の（ｂ））。
【００６７】
その後、スマートスイッチ１０は、第２の領域に表示されるママの画像が押下されると、ママへの発信を行い、第２の領域に呼出中のメッセージを表示する（図１１の（ｃ））。ここで、スマートスイッチ１０は、ママが応答すると、音声通話を確立し、第２の領域に通話中のメッセージを表示する（図１１の（ｄ））。
【００６８】
一方、スマートスイッチ１０は、ママが電話に出ない時は、優先順位２のパパへの発信を行う（図１１の（ｅ））。このとき、スマートスイッチ１０は、第２の領域に優先順位２のパパの画像を表示するとともに、呼出中のメッセージを表示する。
【００６９】
ここで、スマートスイッチ１０は、パパが応答すると、音声通話を確立し、第２の領域に通話中のメッセージを表示する（図１１の（ｆ））。一方、スマートスイッチ１０は、パパが電話にでないときは、パパ以降の優先順位にしたがって、おじいちゃん、花子ちゃんママ、特許くんママの順に、発信処理を実行する。
【００７０】
そして、スマートスイッチ１０は、誰とも電話がつながらない場合は、優先順位の最後であるサービサーと音声通話を確立する（図１１の（ｇ））。このとき、スマートスイッチ１０は、第２の領域にサービサーを表示するとともに、通話中のメッセージを表示する。
【００７１】
このように、実施例２にかかるスマートスイッチ１０は、携帯電話を持っていない子供３や携帯電話を操作できない場合でも、簡単な操作による親との通話を子供３に提供することができるので、親にも子供３に安心感を与えることができる。また、自宅内の動線上にスマートスイッチ１０を設定するので、子供が簡単にスマートスイッチ１０を見つけることができ、緊急時でも素早く親に連絡することができる。また、通話先の最後のサービサーを含めることで、絶対に誰かに通話できるという安心感を子供および親の両方に与えることができ、システム導入のハードルも下げることができる。
【実施例３】
【００７２】
さて、これまで本発明の実施例について説明したが、本発明は上述した実施例以外にも、種々の異なる形態にて実施されてよいものである。そこで、以下に異なる実施例を説明する。
【００７３】
［通信方式］
上記実施例では、第１の無線通信リンクの例としてＢＬＥ、第２の無線通信リンクとしてＬＴＥを例にして説明したが、これに限定されるものではない。例えば、無線ＬＡＮなどを用いて監視および発信を行うこともできる。また、通常の電話機能ではなく、電話機能を実現するアプリケーションなどを用いて発信処理を行うこともできる。
【００７４】
［着信処理］
上記実施例では、スマートスイッチ１０が発信する例で説明したが、スマートスイッチ１０は着信処理を実行することもできる。例えば、スマートスイッチ１０は、ママ端末から着信したときは、ママの画像を表示部１３の第２の領域に表示させる。なお、スマートスイッチ１０は、連絡先ＤＢに記憶される電話番号に限って着信を認めるなどの制限を設定することもできる。
【００７５】
［スマートスイッチの筐体］
上記実施例では、スマートスイッチ１０が表示部１３を有する例を説明したが、これに限定されるものではない。例えば、表示部１３と上記処理を実行するコントロール部とを別々の筐体で実現することもできる。なお、設置場所も自宅に限らず、学校、会社、病院、データセンタなどにも適用することができる。また、実施例では、照明１ａを操作する画面を表示する例を説明したが、操作対象は照明１ａに限られず、テレビやエアコンなど他の電気機器であってもよい。
【００７６】
［子供の状態監視］
上記実施例では、子供が留守番状態のときを例にして説明したが、これに限定されるものではない。具体的には、スマートスイッチ１０に状態監視モードを設定し、状態監視モードが実行中の間は、ママ端末などの監視対象の端末からの要求に応じて、付近の画像を送信することもできる。例えば、スマートスイッチ１０は、状態監視モード時にママ端末から要求を受信した場合、スマートスイッチ１０付近の画像を撮像してママ端末に送信することができる。また、スマートスイッチ１０は、画像ではなく、動画を送信することもでき、テレビ電話で接続することもできる。
【００７７】
なお、スマートスイッチ１０が複数ある場合は、各スマートスイッチ１０にＩＤなどを付加して識別する。この結果、ママ端末は、確認したい場所に設置されるスマートスイッチ１０に対して上記要求を送信することで、ある一か所の状態を確認することができる。
【００７８】
［システム］
前記文書中や図面中で示した処理手順、制御手順、具体的名称、各種のデータやパラメータを含む情報については、特記する場合を除いて任意に変更することができる。
【００７９】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８０】
［プログラム］
また、スマートスイッチ１０は、プログラムを読み出して実行することで通知制御方法を実行する情報処理装置として動作する。つまり、スマートスイッチ１０は、スイッチ制御部２４、監視設定部２５、監視部２６、明るさ検出部２７、操作判定部２８、通知部２９と同様の機能を実行するプログラムを実行する。この結果、スマートスイッチ１０は、スイッチ制御部２４、監視設定部２５、監視部２６、明るさ検出部２７、操作判定部２８、通知部２９と同様の機能を実行するプロセスを実行することができる。なお、この他の実施例でいうプログラムは、スマートスイッチ１０によって実行されることに限定されるものではない。例えば、他のコンピュータまたはサーバがプログラムを実行する場合や、これらが協働してプログラムを実行するような場合にも、本発明を同様に適用することができる。
【００８１】
このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【符号の説明】
【００８２】
１０  スマートスイッチ
２１  操作ログＤＢ
２２  監視時間ＤＢ
２３  監視対象ＤＢ
２４  スイッチ制御部
２５  監視設定部
２６  監視部
２７  明るさ検出部
２８  操作判定部
２９  通知部
【図１】
2018125677.tif 000003
【図２】
2018125677.tif 000004
【図３】
2018125677.tif 000005
【図４】
2018125677.tif 000006
【図５】
2018125677.tif 000007
【図６】
2018125677.tif 000008
【図７】
2018125677.tif 000009
【図８】
2018125677.tif 000010
【図９】
2018125677.tif 000011
【図１０】
2018125677.tif 000012
【図１１】
2018125677.tif 000013